(57)【要約】【課題】より高画質な画像形成を可能とする画像形成装置を提供する。【解決手段】画像形成装置１０は、マゼンダ像を担持する感光体２２Ｍと、シアン像を担持する感光体２２Ｃと、感光体２２Ｍに担持されたマゼンダ像及び感光体２２Ｃに担持されたシアン像を転写させるようにシートを搬送する搬送ベルト４６と、シートを搬送ベルト４６に供給するレジストロール対６２と、駆動側レジストロール６４に対する駆動伝達を切断する電磁クラッチ７４とを有している。電磁クラッチ７４は、シートに対するマゼンダ像及びシアン像の転写が開始される前に、駆動側レジストロール６４に対する駆動伝達の切断を行う。【選択図】図４
2008046326.tif 000002
【特許請求の範囲】
【請求項１】
マゼンダ像を担持するマゼンダ像担持体と、
シアン像を担持するシアン像担持体と、
前記マゼンダ像担持体に担持されたマゼンダ像及び前記シアン像担持体に担持されたシアン像を転写させるように転写材を搬送する搬送手段と、
転写材に搬送力を付与し、前記搬送手段に転写材を供給する供給手段と、
前記供給手段から転写材への搬送力の付与を解除する解除手段と、
を有し、
前記解除手段は、転写材へのマゼンダ像及びシアン像の転写が開始される前に、搬送力の付与を解除することを特徴とする画像形成装置。
【請求項２】
前記マゼンダ像担持体及び前記シアン像担持体よりも転写材搬送方向上流に配置され、前記搬送手段によって搬送される転写材に転写される像を担持する上流側像担持体を有することを特徴とする請求項１記載の画像形成装置。
【請求項３】
前記解除手段は、前記上流側像担持体が転写材に像を転写する転写位置に転写材の先端が到達した後に、前記供給手段による転写材への搬送力の付与を解除することを特徴とする画像形成装置
【請求項４】
前記上流側像担持体を２個以上有し、
前記解除手段は、転写材の搬送方向において最も下流に配置された前記上流側像担持体が転写材に像を転写する転写位置に転写材の先端が到達した後に、前記供給手段による転写材への搬送力の付与を解除することを特徴とする請求項２又は３画像形成装置
【請求項５】
前記解除手段は、前記搬送手段への駆動伝達を切断するクラッチを有することを特徴とする請求項１乃至４いずれか記載の画像形成装置。
【請求項６】
前記供給手段は、互いに当接してニップ部を形成し、このニップ部で搬送力が付与された転写材の先端部を一時的に停止させる一対のロールを有することを特徴とする請求項１乃至５いずれか記載の画像形成装置。
【請求項７】
前記搬送手段は、転写材を静電的に吸着することを特徴とする請求項１乃至６いずれか記載の画像形成装置。
【請求項８】
前記搬送手段に転写材を静電的に吸着させる吸着手段を有することを特徴とする請求項７記載の画像形成装置。
【請求項９】
像担持体と、
前記像担持体の表面に書き込まれた潜像が現像されることにより形成された可視像を転写させるように転写材を搬送する搬送手段と、
転写材に搬送力を付与し、前記搬送手段に転写材を供給する供給手段と、
前記供給手段から転写材への搬送力の付与を解除する解除手段と、
を有し、
前記解除手段は、前記像担持体への潜像の書き込みが開始される前に、搬送力の付与を解除することを特徴とする画像形成装置。
【請求項１０】
第１の像担持体と、
この第１の像担持体よりも転写材搬送方向上流に配置された第２の像担持体と、
前記第１の像担持体に書き込まれた潜像を現像することより形成された可視像と、前記第２の像担持体に書き込まれ潜像を現像することにより形成された可視像とを転写させるように転写材を搬送する搬送手段と、
転写材に搬送力を付与し、前記搬送手段に転写材を供給する供給手段と、
前記供給手段から転写材への搬送力の付与を解除する解除手段と、
を有し、
前記解除手段は、前記第２の像担持体への潜像の書き込みが終了した後であって、前記第１の像担持体への潜像の書き込みが開始される前に、搬送力の付与を解除することを特徴とする画像形成装置。
【発明の詳細な説明】
【技術分野】
【０００１】
本発明は、複写機、ファクシミリ、プリンタ等の画像形成装置に関する。
【背景技術】
【０００２】
この種の画像形成装置に用いられる技術であって、例えば感光体等の像担持体と、この像担持体から像を転写させるようにシート等の転写材を搬送する搬送ベルト等の搬送手段と、転写材に搬送力を付与し、転写材を搬送手段に供給するレジストロール等の供給手段とを有し、転写材が搬送手段に到達した後に、供給手段から転写材への搬送力の付与を解除する技術が知られている（特許文献１）。
【０００３】
【特許文献１】特許３０７４０５４号
【発明の開示】
【発明が解決しようとする課題】
【０００４】
しかしながら、従来の技術では、像担持体から転写材への像の転写や像担持体への潜像の書き込み等の像形成プロセスが行われている途中で転写材への搬送力の付与が解除されることがあり、この解除の際に生じる画像形成装置や転写材の振動等の影響で、例えば歪み等の画像品質の低下が生じることがあるとの問題点があった。特に、マゼンダ像、シアン像を含む異なる色相の複数の像を重ねて合わせてカラー画像を形成する画像形成装置に上述の技術を用いる場合に生じることがある画像品質の低下は、ブラック画像やイエロー画像等の他の色相の画質不良よりも目立ちやすいことから、特に重大な問題であった。
【０００５】
本発明は、画像品質の低下を生じにくくし、より高画質な画像形成を可能とする画像形成装置を提供することを目的とする。
【課題を解決するための手段】
【０００６】
本発明の第１の特徴とするところは、マゼンダ像を担持するマゼンダ像担持体と、シアン像を担持するシアン像担持体と、前記マゼンダ像担持体に担持されたマゼンダ像及び前記シアン像担持体に担持されたシアン像を転写させるように転写材を搬送する搬送手段と、転写材に搬送力を付与し、前記搬送手段に転写材を供給する供給手段と、前記供給手段から転写材への搬送力の付与を解除する解除手段と、を有し、前記解除手段は、転写材へのマゼンダ像及びシアン像の転写が開始される前に、搬送力の付与を解除する画像形成装置にある。
【０００７】
好適には、前記マゼンダ像担持体及び前記シアン像担持体よりも転写材搬送方向上流に配置され、前記搬送手段によって搬送される転写材に転写される像を担持する上流側像担持体を有する。
【０００８】
また、好適には、前記解除手段は、前記上流側像担持体が転写材に像を転写する転写位置に転写材の先端が到達した後に、前記供給手段による転写材への搬送力の付与を解除する。
【０００９】
また、好適には、前記上流側像担持体を２個以上有し、前記解除手段は、転写材の搬送方向において最も下流に配置された前記上流側像担持体が転写材に像を転写する転写位置に転写材の先端が到達した後に、前記供給手段による転写材への搬送力の付与を解除する。
【００１０】
また、好適には、前記解除手段は、前記搬送手段への駆動伝達を切断するクラッチを有する。
【００１１】
また、好適には、前記供給手段は、互いに当接してニップ部を形成し、このニップ部で搬送力が付与された転写材の先端部を一時的に停止させる一対のロールを有する。
【００１２】
また、好適には、前記搬送手段は、転写材を静電的に吸着する。
【００１３】
また、好適には、前記搬送手段に転写材を静電的に吸着させる吸着手段を有する。
【００１４】
また、本発明の第２の特徴とするところは、像担持体と、前記像担持体の表面に書き込まれた潜像が現像されることにより形成された可視像を転写させるように転写材を搬送する搬送手段と、転写材に搬送力を付与し、前記搬送手段に転写材を供給する供給手段と、前記供給手段から転写材への搬送力の付与を解除する解除手段と、を有し、前記解除手段は、前記像担持体への潜像の書き込みが開始される前に、搬送力の付与を解除する画像形成装置にある。
【００１５】
また、本発明の第３の特徴とするところは、第１の像担持体と、この第１の像担持体よりも転写材搬送方向上流に配置された第２の像担持体と、前記第１の像担持体に書き込まれた潜像を現像することより形成された可視像と、前記第２の像担持体に書き込まれ潜像を現像することにより形成された可視像とを転写させるように転写材を搬送する搬送手段と、転写材に搬送力を付与し、前記搬送手段に転写材を供給する供給手段と、前記供給手段から転写材への搬送力の付与を解除する解除手段と、を有し、前記解除手段は、前記第２の像担持体への潜像の書き込みが終了した後であって、前記第１の像担持体への潜像の書き込みが開始される前に、搬送力の付与を解除する画像形成装置にある。
【発明の効果】
【００１６】
本発明によれば、より高画質な画像形成を可能とする画像形成装置を提供することができる。
【発明を実施するための最良の形態】
【００１７】
次に本発明の実施形態について図面に基づいて説明する。
図１には本発明の実施形態に係る画像形成装置１０が示されている。この画像形成装置１０は、画像形成装置本体１２を有し、この画像形成装置本体１２内に画像形成部１４と、画像形成部１４に転写材として用いられるシートを供給するシート供給装置５４と、電源ユニット１６と、制御手段として用いられる制御部２００とが配設されている。また、画像形成装置本体１２の上部に画像形成がなされたシートが排出されるシート排出部１５が設けられている。
【００１８】
画像形成部１４は、カラー画像を形成する電子写真方式のもので、ブラックの現像剤を用いてブラック画像を形成する画像形成部１８Ｂと、イエローの現像剤を用いてイエロー画像を形成する画像形成部１８Ｙと、シアンの現像剤を用いてシアン画像を形成する画像形成部１８Ｃと、マゼンダの現像剤を用いてマゼンダ画像を形成する画像形成部１８Ｍとを有している。これらの画像形成部は、後述する搬送ベルト４６に沿って、シート搬送方向上流である重力方向下方から順に、画像形成部１８Ｂ、画像形成部１８Ｙ、画像形成部１８Ｃ、画像形成部１８Ｍの順に配置されている。
【００１９】
各画像形成部１８は、像担持体として用いられるドラム形状の感光体２２をそれぞれが有する。これらの感光体２２のうち、画像形成部１８が有する感光体２２Ｍはマゼンダ像担持体として用いられ、画像形成部１８Ｃが有する感光体２２Ｃはシアン像担持体として用いられる。また、画像形成部が有する感光体２２Ｙ及び画像形成部１８Ｂが有する感光体２２Ｂは、上流側像担持体として用いられる。
【００２０】
画像形成部１８Ｂ、１８Ｙ、１８Ｃ、１８Ｍは、形成する画像の色が異なるものの同じ構成であるので、以下、画像形成部１８として構成を説明する。各画像形成部１８は、感光体２２を一様に帯電する帯電ロールを備え、帯電手段として用いられる帯電装置２４と、感光体２２に光により潜像を書き込む潜像書き込み手段として用いられる光書き込み装置２６と、感光体２２に書き込まれた潜像を現像剤で現像し、可視像として用いられる現像剤像を形成する現像装置２８と、感光体に形成された現像剤像をシートに転写する転写ロール５０と、転写ロールによる転写がなされた後に、感光体２２の表面に残留した現像剤像を除去する現像剤除去手段として用いられるクリーニング装置３０とを、それぞれが有している。光書き込み装置２６はレーザー露光装置からなり、レーザー光を発し各感光体２２にそれぞれ静電潜像を書き込むようになっている。
【００２１】
画像形成部１８が有する部材のうち感光体２２、帯電装置２４、現像装置２８及びクリーニング装置３０は、交換ユニットとして用いられるプロセスカートリッジ３２として一体型され、画像形成装置本体１２に着脱自在に装着される。また、このプロセスカートリッジ３２には、現像装置２８に供給される現像剤（トナー）を収容する現像剤収容器（交換ユニット）としてのトナーカートリッジ（トナーボトル）３４と、クリーニング装置３０により除去された現像剤（トナー）を回収する現像剤回収容器としての排トナーボトル３６とが該プロセスカートリッジ３２と一体に又は着脱自在に設けられている。
【００２２】
転写ロール５０Ｂ、５０Ｙ、５０Ｃ、５０Ｍは、他の部材と共に転写ユニットと４２として一体化され、画像形成装置本体１２から着脱することができるようになっている。転写ユニット４２は、転写ロール５０Ｂ、５０Ｙ、５０Ｃ、５０Ｍと併せて、二つの支持ロール４４ａ、４４ｂと、シートを搬送する搬送手段として搬送ベルト４６と、搬送ベルト４６にシートを吸着させる吸着手段として用いられる吸着ロール４８とを有している。
【００２３】
搬送ベルト４６には、吸着ロール４８が圧接されていて、吸着ロール４８からの電荷注入を受けて帯電し、シートを静電的に吸着した状態で搬送する。吸着ロール４８には、電源ユニット１６により電圧の印加がなされる。搬送ベルト４６がシート吸着し搬送するものであれば、吸着ロール４８は設けなくても良い。
【００２４】
搬送ベルト４６により搬送中のシートに、感光体２２Ｂ、２２Ｙ、２２Ｃ、２２Ｍに形成された現像剤像が、ぞれぞれの転写ロール５０Ｂ、５０Ｙ、５０Ｃ、５０Ｍによって転写され、シートにブラック、イエロー、シアン、マゼンダの４色の現像剤像が重ねられたフルカラーの現像剤像が形成される。
【００２５】
また、画像形成装置本体１２内の上部には、シートに転写された現像剤像をシートへと定着する定着装置５２が設けられている。定着装置５２は、加熱ロール５２ａと加圧ロール５２ｂとからなり、加熱ロール５２ａと加圧ロール５２ｂとの間を通過するシートを過熱し加圧することで、シートに現像剤像を定着するようになっている。
【００２６】
また、画像形成装置本体１２内には、シート供給装置５４から供給されたシートをシート排出部１５まで搬送する搬送路６０が設けられていて、この搬送路６０に沿って、シート搬送方向上流側から順に、レジストロール対６２、転写ユニット４２、定着装置５２及び排出ロール４０が配置されている。排出ロール４０は、定着装置５２から搬送されたシートをシート排出部１５へと排出する。
【００２７】
図２には、シート供給装置５４が示されている。シート供給装置５４は、シートが収納され、転写材収容手段として用いられるシート供給カセット５６を有する。シート供給カセット５６は、画像形成装置本体１２に対して着脱自在に設けられていて、普通紙、ＯＨＰシート等のシートが積層されて収納されている。シート供給カセット５６に積層されたシートの最も上に位置するシートに当接するように、例えば半月ロール等からなる供給ロール５８が設けられている。供給ロール５８には、例えばモータからなる駆動源７６が、例えば歯欠けギアを備えた駆動伝達系（不図示）を介して連結されていて、駆動源から７６からの駆動伝達を受けて回転してシートを供給する。供給ロール５８の回転は、シートがレジストロール対６２に到達した後、所定時間経過すると、例えば歯欠けギアに対する駆動伝達がなされなくなることで停止する。
【００２８】
供給ロール５８には、表面の摩擦力が大きい部材から形成されている捌きロール６８が当接している。捌きロール６８と供給ロール５８との間に複数のシートが挟まれると、捌きロール６８が停止、又は逆転し、シート間に滑りを生じさせてシートを捌き、最上位のシートがけを供給する。
【００２９】
供給ロール５８と捌きロール６８との下流側には、レジストロール対６２が設けられている。レジストロール対６２は、シートに搬送力を付与し、搬送ベルト４６にシートを供給する供給手段として用いられ、駆動側レジストロール６４及び従動側レジストロール６６を有している。駆動側レジストロール６４と従動側レジストロール６４とは互いに当接してニップＮを形成していて、ニップＮで、供給ロール５８から搬送力が付与されるシートの先端部を一時的に停止される。一時的に停止した状態で、シートの先端部はニップＮに圧接され、先端部が圧接されることでシートの斜行が補正される。
【００３０】
駆動側レジストロール６４には、解除手段として用いられる電磁クラッチ７４を介して、先述の駆動源７６が連結されている。シートを一時的に停止させた後、所定のタイミングで電磁クラッチ７４がＯＮとされ、駆動源７６からの駆動伝達がなされることで、駆動側レジストロール６４が所定のタイミングでシート搬送方向と同方向の回転を開始し、供給ロール５８から供給されたシートを、所定のタイミングで画像形成部１４へ供給する。従動側レジストロール６６は、駆動側レジストロール６４に従動して回転する。
【００３１】
ニップＮの上流には、搬送路６０を挟んで対向するように、ガイド板７０、７２が設けられている。ガイド板７０、７２は、供給ロール５８から供給されたシートの先端部が、ニップＮに良好に当接するようにシートをガイドする。
【００３２】
また、ニップＮの上流であって、ニップＮの直近の位置には、ニップＮにシートの先端部が到達するタイミングを検知するとともに、ニップＮをシート後端部が通過するタイミングを検知するセンサ８４が設けられている。
【００３３】
センサ８４は軸８８により回転可能に支持された可動片８６を有し、シートが通過する状態にない場合は、図２（ａ）に示されるように可動片８６が搬送路６０を横切る位置にある。この状態から、供給ロール５８によりシートが供給されると、図２（ｂ）に示すようにシートの先端部が可動片８６を押圧し、図示を省略するバネからなら付勢手段による付勢に抗して可動片８６を軸８８を中心として回転させ、可動片８６を搬送路６０の外側へと移動させる。そして、この可動片８６の移動が図示を省略する光学センサに検知され、ニップＮにシートが到達するタイミングの検知がなされる。
【００３４】
センサ８４が設けられた位置からシートの後端部が通過すると、先述のようにバネにより付勢された状態にある可動片８６は、再び図２（ａ）に示される搬送路を横切る位置へと移動する。そして、この移動が図示を省略する光学センサで検知することで、シートの後端部がニップＮを通過するタイミングが検知される。このように、センサ８４は、ニップＮをシートの後端部が通過するタイミングを検知する検知手段としても用いられる。
【００３５】
以上のように構成された画像形成装置１０では、シートの先端部が搬送ベルト４６に到達した後も、シート後端は、駆動側レジストロール６４と従動側レジストロール６４とが形成するニップＮを通過していない状態にある。このため、ニップＮに挟み込まれた状態にあることの影響を受けて、搬送ベルト４６によるシートの搬送が良好になされないことがあった。例えば、レジストロール対６２によるシート搬送速度が搬送ベルト４６によるシート搬送速度よりも遅い場合、シートは後方に引っ張れられる状態となり、シートの搬送速度は搬送ベルトよりも遅くなってしまう。また、レジストロール対６２によるシート搬送速度が搬送ベルト４６によりシート搬送速度よりも速ければ、シートが押し出される状態となり、シートが搬送ベルト４６から浮き上がってしまう。そして、いずれの場合も、シートに形成される画像の品質が低下する。そこで、この画像形成装置１０では、シートの先端部が搬送ベルト４６に到達した後、所定のタイミングで電磁クラッチ７４をＯＦＦとし、一対のレジストロール６２からシートへの搬送力の付与を解除することで、搬送ベルト４６によってシートが良好に搬送されるようにして、画像品質の低下が生じにくくしている。
【００３６】
電磁クラッチ７４を所定のタイミングでＯＦＦとすることで、シートが後方に引っ張られたり、シートが搬送ベルト４６から浮き上がったりしにくくなる。しかしながら、感光体２２からシートへの現像剤像の転写がなされている途中や、感光体２２への光書き込み装置２６による潜像形成がなされている途中で電磁クラッチ７４がＯＦＦとされると、シート又は搬送ベルトが振動したり、シートの搬送速度が変化したりすることがあり、これらの影響で画像品質の低下が生じてしまうことがあった。そこで、この実施形態では、電磁クラッチ７４をＯＦＦとするタイミングに工夫をすることで、画像品質の低下を生じにくくしている。
【００３７】
図３には、画像形成装置１０が有する制御部２００が示されている。
制御部２００は、センサ８４からの出力が入力される制御回路２０２を有する。この制御回路２０２には、通信インターフェイス２０４を介して画像データが入力される。そして、この制御回路２０２からの出力により、画像形成部１８Ｂ、１８Ｙ、１８Ｃ、１８Ｍと、電磁クラッチ７４と、駆動源７６とが制御される。
【００３８】
図４は制御部２００の制御フローを示すフローチャートであり、図５は、搬送ベルト４６がシートを搬送する状態を模式的に示し、制御部２００の制御を説明する説明図である。図５において、レジストロール対６２から供給されたシートＳは、搬送ベルト４６に吸着された状態で搬送され、搬送の途中で、感光体２２Ｂと搬送ベルト４６とが接することで形成される転写位置９０Ｂにおいてブラック現像剤像の転写がなされる。そして、シートＳに対して、感光体２２Ｙと搬送ベルト４６が接することで形成される転写位置９０Ｙでイエロー現像剤像が、感光体２２Ｃと搬送ベルト４６とが接することで形成される転写位置９０Ｃでシアン現像剤像が、感光体２２Ｍと搬送ベルト４６とが接することで形成される転写位置９０Ｍでマゼンダ現像剤像が順に転写される。
【００３９】
図４に示されるように、通信インターフェイス２０４を介して制御回路２０２に画像データが入力され制御フローがスタートすると、ステップＳ１０で制御回路２０２が駆動源７６の回転を開始させ、駆動源７６からの駆動伝達を受けて供給ロール５８が回転を開始することで、レジストロール対６２が形成するニップＮに向けてシートの供給が開始される。
【００４０】
次のステップＳ１２で、センサ８４より検知されたシート先端検知信号が制御回路２０２へと入力される。すなわち、搬送路６０を横切るように配置されているセンサ８４の可動片８６が搬送中のシートの先端部に押圧され、可動片８６が軸８８を中心として回転し、この可動片８６の回転が光学センサにより検知されることより形成されるシート先端検知の信号が制御回路２０２へと入力される。
【００４１】
次のステップＳ１４で、シート先端部が検知されてから所定時間が経過したことを確認した後、ステップＳ１６で制御回路２０２は電磁クラッチ７４をＯＮとする。電磁クラッチ７４がＯＮとされると、駆動源７６からの駆動が駆動側レジストロール６４に伝達され、レジストロール対６２から搬送ベルト４６へのシート供給が開始される。ステップＳ１４における所定時間は、シートの先端部がニップＮに押圧されることによるシートの斜行補正が良好になされるために十分な時間として予め定められている。搬送ベルト４６へと搬送されたシートには、ステップＳ１２で制御回路２０２に入力されたシート先端検知信号に基づく制御回路２０２からの制御により画像形成部１８Ｂで形成されたブラック現像剤像と、画像形成部１８Ｙで形成されたイエロー現像剤と転写される。
【００４２】
ステップＳ１８で、シート先端部が検知されてから所定時間が経過したことを確認した後、ステップＳ２０で制御回路２０２は電磁クラッチ７４をＯＦＦとする。電磁クラッチ７４がＯＦＦとされると、駆動源７６から駆動側レジストロール６４への駆動伝達が切断され、レジストロール対６２からシートへの搬送力の付与が解除される。レジストロール対６２からシートへの搬送力の付与が解除されることで、レジストロール対６２によるシート搬送速度と、搬送ベルト４６によるシート搬送速度との間にズレがある場合に生じるおそれがあるシートが後方に引っ張られるとの問題や、シートが搬送ベルト４６から浮き上がるとの問題が生じにくくなる。
【００４３】
ステップＳ１８における所定時間は、シートの先端部がセンサ８４に検知された時点から、シート先端が、シートへのイエロー現像剤の転写がなされる位置である転写位置９０Ｙ（図５参照）を通過するまでの時間として定められる。この時点においては、シートＳの先端部は未だ転写位置９０Ｃ、９０Ｍには到達していない。すなわち、この画像形成装置１０においては、シートにシアン現像剤及びマゼンダ現像剤像の転写がなされる前に、レジストロール対６２からシートへの搬送力の付与が解除されている。このため、ブラック現像剤像及びイエロー現像剤像よりも色ズレ等の画像不良が目立ちやすいマゼンダ現像剤像及びシアン現像剤像の転写中に、シートへの搬送力の解除を行うこと回避することができる。よって、画像不良が目立ちやすいマゼンダ画像、シアン画像に生じる色ズレ等を生じにくくすることができる。
【００４４】
また、ステップＳ２０でレジストロール対６２からシートへの搬送力の付与が解除される時点において、シート先端は転写位置９０Ｙを通過しており、シートには、転写位置９０Ｙにおいて感光体２２Ｙ及び搬送ベルト４６から、転写位置９０Ｂにおいて感光体２２Ｂ及び搬送ベルト４６から搬送力が付与されているため、シートを搬送する搬送力が不足しにくい。
【００４５】
また、ステップＳ２０でレジストロール対６２からシートへの搬送力の付与が解除される時点において、光書き込み装置２６Ｃによる感光体２２Ｃへの潜像の書き込みと、光書き込み装置２６Ｍよる感光体２２Ｂへの潜像の書き込みとは開始されていない。このため、シートに対する搬送力の付与を解除することで、感光体２２Ｃ、２２Ｍが振動し、この振動により感光体２２Ｃ、２２Ｍに形成される潜像に乱れが生じることを原因とする画質の低下を防止することができる。
【００４６】
また、ステップＳ２０におけるレジストロール対６２からシートへの搬送力付与の解除は、光書き込み装置２６Ｙによる感光体２２Ｙへの潜像形成が終了した後であって、光書き込み装置２６Ｃによる感光体２２Ｃへの潜像形成が開始される前になされる。このため、感光体２２Ｙが振動することにより感光体２２Ｙに書き込まれる潜像に乱れが生じることを原因とする画質の低下も防止することができる。
【００４７】
レジストロール対６２による搬送力の付与が解除されたシートには、続いて、ステップＳ１２において制御回路２０２に入力されたシート先端検知に基づく制御回路２０２からの制御により、画像形成部１８Ｃで形成されたシアン現像剤像と、画像形成部１８Ｍで形成されたマゼンダ現像剤と転写される。そして、ブラック、イエロー、シアン、マゼンダの４色の現像剤像が転写されたシートは、定着装置５２に搬送され、定着装置５２でシートへの現像剤像の定着がなされた後、排出ロール４０によりシート排出部１５へと排出される。
【００４８】
次のステップＳ２２において、制御回路２０２は、通信インターフェイス２０４からのデータに基づいて画像形成がなされたシートが最終のシートであるか否かの判別を行う。シートが最終のシートであるとの判別がなされると、制御回路２０２は一連の動作を終了させる。また、最終のシートでないとの判断がなされると、ステップＳ１０に戻り、次のシートへの画像形成のための一連の画像形成動作が繰り返される。
【産業上の利用可能性】
【００４９】
以上述べたように、本発明は、例えば複写機、ファクシミリ装置、プリンタ等のシート等の転写材に像を転写して画像形成を行う画像形成装置に適用することができる。
【図面の簡単な説明】
【００５０】
【図１】本発明の実施形態に係る画像形成装置の構成を示す断面図である。
【図２】本発明の実施形態に係る画像形成装置の要部を拡大して示し、図２（ａ）はシートの搬送が開始される前の状態を示す断面図であり、図２（ｂ）はシートが搬送中の状態を示す断面図である。
【図３】本発明の実施形態に係る画像形成装置に用いた制御部を示すブロック図である。
【図４】本発明の実施形態に係る画像形成装置の動作を示すフローチャートである。
【図５】本発明の実施形態に用いられる搬送ベルトがシートを搬送する状態を模式的に示す説明図である。
【符号の説明】
【００５１】
１０    画像形成装置
１２    画像形成装置本体
１８Ｂ、１８Ｙ、１８Ｃ、１８Ｍ    画像形成部
２２Ｂ、２２Ｙ、２２Ｃ、２２Ｍ    感光体
２６Ｂ、２６Ｙ、２６Ｃ、２６Ｍ    光書き込み装置
４２    転写ユニット
４６    搬送ベルト
４８    吸着ロール
５０Ｂ、５０Ｙ、５０Ｃ、５０Ｍ    転写ロール
５２ 定着装置
５４    シート供給装置
５８    供給ロール
６２    レジストロール対
６４    駆動側レジストロール
６６    従動側レジストロール
７４  電磁クラッチ
７６  駆動源
８４  センサ
２００ 制御部
【図１】
2008046326.tif 000003
【図２】
2008046326.tif 000004
【図３】
2008046326.tif 000005
【図４】
2008046326.tif 000006
【図５】
2008046326.tif 000007